(57)【要約】【課題】出力装置が新しいフォーム情報を登録することができない状況にあっても当該フォーム情報の登録を拒絶することなく、当該フォーム情報の追加登録を可能とする。【解決手段】情報を出力可能な出力装置２１におけるフォーム情報の格納状況情報を取得し、格納状況情報に基づいて、現時点において新たなフォーム情報の出力装置２１への登録が可能であるか否かを判断する。そして、現時点において新たなフォーム情報の出力装置２１への登録が不可であると判断された場合、出力装置２１に登録されているフォーム情報が削除された後、新たなフォーム情報を出力装置２１に対して登録させる。【選択図】　図２
2004139462.tif 000002
【特許請求の範囲】
【請求項１】
情報を出力可能な出力装置におけるフォーム情報の格納状況情報を取得する取得手段と、
前記取得手段により取得された前記格納状況情報に基づいて、現時点において新たなフォーム情報の前記出力装置への登録が可能であるか否かを判断する判断手段と、
現時点において前記新たなフォーム情報の前記出力装置への登録が不可であると前記判断手段により判断された場合、前記出力装置に登録されているフォーム情報が削除された後、前記新たなフォーム情報を前記出力装置に対して登録させる登録手段とを有することを特徴とする情報処理装置。
【発明の詳細な説明】
【０００１】
【発明の属する技術分野】
本発明は、出力装置に対するフォーム情報の登録処理の効率化を図り得る例えば帳票印刷システムに適用可能な情報処理装置に関するものである。
【０００２】
【従来の技術】
帳票システムにおいて、出力装置に十分な記憶領域が存在すれば、登録要求がある新しいフォームを登録することができた。もしここで記憶領域が十分に確保されていなければ、登録を拒絶するか、登録要求がある新しいフォームを記憶装置内に存在するフォームに上書きすることで登録していた。
【０００３】
【発明が解決しようとする課題】
上記のように、従来の帳票印刷システムでは、出力装置の記憶領域に十分な空きがない場合、登録要求のあるフォームの登録を拒絶するか、既存のフォームを上書きすることで登録していた。そのため新たにフォームを登録することができなくなる時や、フォームの重要度すなわち使用頻度などが高いなどの情報を無視してフォームを上書きしてしまう可能性があった。
【０００４】
本発明は、上記問題点に鑑みてなされたものであり、出力装置が新しいフォーム情報を登録することができない状況にあっても当該フォーム情報の登録を拒絶することなく、当該フォーム情報の追加登録を可能とする情報処理装置を提供することを目的とする。
【０００５】
また、本発明は、フォーム情報の使用履歴等に基づいて削除対象のフォーム情報を選択可能とする情報処理装置を提供することを目的とする。
【０００６】
【課題を解決するための手段】
斯かる目的を達成するために、本発明の情報処理装置は、情報を出力可能な出力装置におけるフォーム情報の格納状況情報を取得する取得手段と、前記取得手段により取得された前記格納状況情報に基づいて、現時点において新たなフォーム情報の前記出力装置への登録が可能であるか否かを判断する判断手段と、現時点において前記新たなフォーム情報の前記出力装置への登録が不可であると前記判断手段により判断された場合、前記出力装置に登録されているフォーム情報が削除された後、前記新たなフォーム情報を前記出力装置に対して登録させる登録手段とを有することを特徴とする。
【０００７】
【発明の実施の形態】
以下、本発明を適用した好適な実施形態を、添付図面を参照しながら詳細に説明する。
図１は、本発明の一実施形態に係るサーバのハードウェアの構成を主に示したブロック図である。本サーバは、ＣＰＵ１０による中央処理装置と、ＲＯＭ１１／ＲＡＭ１２による主記憶装置、ＦＤドライブ１３やＨＤドライブ１５などによる外部記憶装置によってその主要構成を成し、キーボード１６およびマウス１８などポインティングデバイスによる入力装置、ＣＲＴディスプレイ１７などによる表示装置、及び、プリンタ１９がシステムバス２０によってＣＰＵ１０、ＲＯＭ／ＲＡＭ１２、ＦＤドライブ１３、ＨＤドライブ１５と接続される。尚、本実施形態に係る出力装置は、上記プリンタ１９のようにサーバに通信回線を用いて接続されたものを対象としており、その接続形態については特に限定されない。
【０００８】
また、図２は、本発明の一実施形態に係る情報処理システムの概略構成を示した図であり、特に出力装置の主要構成について示した図である。図２に示されるように、本実施形態に係る出力装置は、ネットワークを介してサーバ２２等と接続される。また、本出力装置は、ＲＡＭ等の記録装置２３を内蔵し、サーバ２２からダウンロードされるフォーム情報を記録するフォーム記録領域２４と、出力装置内において既に登録されるフォーム情報のデータサイズ等を示す情報を記録する登録状況記録領域２５と、フォーム情報の削除方法等の各種設定情報（フォーム設定情報）を格納する設定情報記録領域２６とを少なくとも記録装置２３内に備えている。さらに、本実施形態に係る出力装置２１は、その主要構成として、出力装置２１の制御を行うＣＰＵ、出力データ等を一時保管するＲＡＭ、必要な処理手順を実行させるためのプログラムコードを記録したＲＯＭ等を備えている。
【０００９】
サーバ２２及び出力装置２１は、基本Ｉ／Ｏプログラム、ＯＳおよびプログラムをＣＰＵが実行することにより動作する。基本Ｉ／ＯプログラムはＲＯＭ１１に書き込まれており、ＯＳはＨＤ１５に書き込まれている。そしてサーバ２２の電源がＯＮされたときに、基本Ｉ／Ｏプログラム中のＩＰＬ（イニシャル・プログラム・ローディング）機能によりＨＤ１５からＯＳがＲＡＭ１２に読み込まれ、ＯＳの動作が開始される。尚、プログラムは図５等に示される制御手順のフローチャートに基づいてプログラムコード化されたものである。
【００１０】
本実施形態の場合は、本制御プログラムおよび関連データはＦＤ１４中に記録されており、その記録されている内容の構成を図３に示す。
ＦＤ１４に記録された制御プログラム及び関連データは、図１に示すようにＦＤドライブ１３を通じて本コンピュータシステムにロードすることができる。このＦＤをＦＤドライブ１３にセットすると、図４に示されるＯＳおよび基本Ｉ／Ｏプログラムの制御の下に制御プログラム実行ファイル（制御プログラム）および制御プログラム関連データファイル（関連データ）がＦＤ１４から読み出され、ＲＡＭ１２にロードされて動作可能となる。
【００１１】
図４は、本制御プログラムがＲＡＭにロードされ実行可能となった状態のメモリマップを示す。
本実施形態では、ＦＤ１４から制御プログラム及び関連データを直接ＲＡＭ１２にロードして実行させる例を示したが、この他にＦＤ１４からプログラム及び関連データを一旦、ＨＤ１５に格納（インストール）しておき、図４に示されるように、本プログラムを動作させる段にＨＤ１５からＲＡＭ１２にロードするようにしてもよい。また本制御プログラムを記録する媒体は、ＦＤ以外にＣＤ−ＲＯＭ、ＩＣメモリカードなどであってもよい。さらに本プログラムをＲＯＭ１１に記録しておき、これをメモリマップの一部をなすように構成し、直接ＣＰＵ１０で実行することも可能である。
【００１２】
＜第１の実施形態＞
先ず、本発明の第１の実施形態について説明する。
本実施形態に係る情報処理システムは、サーバ２２から出力装置２１に対してフォーム情報の登録を行うものであり、以下のステップでこの登録処理を実行する。図５は、本実施形態に係るフォーム情報登録処理の動作の流れを示した図である。
まず、サーバ２２から新しいフォームの登録要求が出力装置２１に対して送られる（ステップＳ００）。そして、サーバ２２は記録領域２６に記録されるフォーム設定情報を呼び出して（ステップＳ０１）、当該フォーム設定情報に従ってこれからの処理を行っていく。尚、本実施形態におけるフォーム設定情報では、出力装置に登録可能なフォーム情報のデータ量が示されているものとする。
【００１３】
次に、サーバ２２は登録が要求されているフォーム情報を取得し、フォーム情報のデータサイズなどを把握する（ステップＳ０２）。続いて、サーバ２２は出力装置２１に登録されている全フォーム情報のデータサイズ情報を取得する（ステップＳ０３）。
【００１４】
次に、サーバ２２はステップＳ０１〜ステップＳ０３において取得したデータから、登録を要求されているフォーム情報が出力装置２１に登録可能であるのか否かを判断する（ステップＳ０４）。サーバ２２は、登録がｙｅｓと判断されたなら出力装置２１に対するフォーム情報の登録を行う（ステップＳ０８）。サーバ２２は、ｎｏと判断された場合、出力装置２１内の削除候補検索を行う（ステップＳ０５）。ステップＳ０５において、サーバ２２は出力装置２１内に登録されているフォーム情報から削除候補検索を行い、削除するフォーム情報の候補を決定し、削除を実行する（ステップＳ０６）。次に、サーバ２２は登録が要求されたフォーム情報が出力装置２１において登録可能となったか否かを判断する（ステップＳ０７）。ｙｅｓであればステップＳ０８を行い、ｎｏであればステップＳ０５に戻る。
【００１５】
ステップＳ０８においては、サーバ２２は出力装置２１に対して登録対象のフォーム情報を送信し、出力装置２１では当該フォーム情報を登録することで記録装置内の記録領域２４を更新する（ステップＳ０９）。
【００１６】
＜第２の実施形態＞
上記第１の実施形態では出力装置２１に対してフォーム情報を登録する際に、フォーム情報を登録できる限界値を全フォーム情報のデータサイズの合計で算出している。第２の実施形態では、フォーム情報を登録できる限界値をフォーム情報の合計の個数とする。すなわちフォーム登録限界値設定において予め設定したフォームの登録個数に、出力装置２１内に登録しているフォーム情報の個数が達したならばそれを限界値とする。
【００１７】
このように、本実施形態では個数による限界値を設けることにより、フォームのデータサイズよらず、常に決まった個数のフォームを出力装置内に保有でき、よりスピーディーに多種のフォームを利用できる。
【００１８】
図６は、本発明の第１及び第２の実施形態において使用されるフォーム登録限界値の設定方法について示した図である。サーバ２２は、出力装置２１に設定する限界値としてフォームサイズの限界値が選択されたか、或いはフォーム個数の限界値が選択されたかを判断する（ステップＳ６１）。次に、サーバ２２は、ステップＳ６１においてフォームサイズの限界値が選択されたと判断した場合は、ユーザに指定されたデータサイズを出力装置２１に対して登録し（ステップＳ６１）、ステップＳ６１においてフォーム個数の限界値が選択されたと判断した場合は、ユーザによって指定されたフォーム個数を出力装置２１に対して登録する（ステップＳ６３）。サーバ２２から登録された限界値情報は出力装置２１の記録領域２６においてフォーム設定情報として登録される（ステップＳ６４）。
【００１９】
＜第３の実施形態＞
上記第２の実施形態では、フォーム情報の個数をフォーム登録限界値として設定していた。本発明の第３の実施形態では、出力装置２１に登録したいフォーム属性情報を予め出力装置２１のフォーム設定情報に設定することで、その属性に適合するフォーム情報のみを登録できるようにする。
【００２０】
図７は、本実施形態に係るフォーム設定情報の登録処理について示した図である。
本実施形態では、サーバ２２は出力装置２１に対するフォーム情報の登録を行う前に、出力装置２１からフォーム情報としてフォーム属性情報を取得し（ステップＳ７１）、出力装置２１に登録したいフォーム情報が当該フォーム属性情報にて示される属性に適合するか否かを判断する（ステップＳ７２）。次に、サーバ２２は、この判断の結果、登録したいフォーム情報がフォーム属性情報にて示される属性に適合すると判断した場合は、当該フォーム情報を出力装置２１に対して送信し、当該フォーム情報を出力装置２１に登録させる（ステップＳ７３）。一方で、サーバ２２が登録したいフォーム情報がフォーム属性情報にて示される属性に適合しないと判断した場合は、続くステップＳ７４にて当該フォーム情報は出力装置２１にて登録できないものと判断し、当該フォーム情報を出力装置２１に対して送信しない。
【００２１】
以上のように、本実施形態によれば、フォーム属性情報に適合したフォーム情報のみを登録することが可能となる。例えばフォーム属性情報を用いてカラー属性を有するフォーム情報のみを登録することができる。よってこの場合、一般的にモノクロよりカラーのほうがデータが大きいので、カラーを登録しておいたほうが高速に印刷処理を行えるという効果がある。
【００２２】
＜第４の実施形態＞
次に、上記第１〜第３の実施形態の全てに適用可能なシステム動作を本発明の第４の実施形態として例示する。図８は、本実施形態に係る出力装置に対する情報設定処理について示した図である。
サーバ２２は、上記第３の実施形態において説明したフォーム属性情報及び上記第１又は第２の実施形態において説明したフォーム登録限界値を出力装置２１に送信し、出力装置２１において設定させる（ステップＳ８１、ステップＳ８２）。続いて、サーバ２２は、新たなフォーム情報を出力装置２１に登録させる際に出力装置２１で削除候補を検索するための削除候補検索情報を出力装置２１に送信し、出力装置２１において登録させる（ステップＳ８３）。この削除候補検索情報では、例えば次のような検索方法が示される。即ち、使用頻度が少ないフォーム情報から削除する方法、登録された年月日が古いフォーム情報から削除する方法、及び、データサイズが大きいフォーム情報から削除する方法等である。
【００２３】
次に、サーバ２２は、フォーム情報の削除情報を出力装置２１に対し送信し、出力装置２１において設定させる（ステップＳ８４）。ここで設定される削除情報では具体的に次のフォーム情報の削除方法が示される。即ち、既に記録領域２４上において新たなフォーム情報の上書きを行うことにより登録済みのフォーム情報を削除する方法、新たなフォーム情報を登録する上で不足するデータサイズ分だけ登録済みのフォーム情報を削除する方法、及び、新たなフォーム情報を登録する上で不足するデータサーズの数倍（例えば、２倍）分の登録済みのフォーム情報を削除する方法等である。
【００２４】
図９は、図５のステップＳ０５に適用可能な本実施形態に係る出力装置２１内の削除候補の検索処理を示した図である。サーバ２２は、削除候補の検索を行う際には、先ず図５のステップＳ０１にて取得した登録設定情報に基づいてフォーム情報限界値がフォーム情報のデータサイズについて設定された値であるか、或いはフォーム情報の個数について設定された値であるかを判断する（ステップＳ８１）。
【００２５】
サーバ２２は、ステップＳ９１の判断においてフォーム情報限界値がフォームサイズについて設定された値であると判断すると、出力装置２１において新たにフォーム情報を登録可能なデータサイズを求める（ステップＳ９２）。一方で、サーバ２２は、ステップＳ９１の判断においてフォーム情報限界値がフォームの個数について設定された値であると判断すると、出力装置２１において新たにフォーム情報を登録可能な個数を求める（ステップＳ９３）。
【００２６】
続いて、サーバ２２は、出力装置２１において登録される各フォーム情報の使用履歴情報及び登録履歴情報を出力装置２１から取得する（ステップＳ９４、ステップＳ９５）。ここで使用履歴情報とは、各フォーム情報が出力装置２１での使用履歴を示す情報であり、登録履歴情報とは、各フォーム情報が登録された時期を示す情報である。
【００２７】
次に、サーバ２２は、使用履歴情報及び登録履歴情報に基づいて削除対象となるフォーム情報を選択し、選択したフォーム情報のリストを作成する（ステップＳ９６）。尚、フォーム情報のリスト作成時には、利用履歴情報及び登録履歴情報の他、更にステップＳ０３において取得する各フォーム情報のデータサイズ情報を利用して削除リストを作成してもよい。
【００２８】
図１０は、図９のステップＳ９６で作成された削除リストを用いて出力装置２１にて実行されるフォーム情報の削除処理を示した図である。
出力装置２１は、サーバ２２から送信された削除リストを受信すると（ステップＳ１０１）、図８のステップＳ８４にて設定された削除方法の判定を行う（ステップＳ１０２）。次に、出力装置２１は、ステップＳ８４において設定された削除方法が上書き方式であると判定されると、上書き方式によって登録済みのフォーム情報を削除し（ステップＳ１０３）、削除方法が不足分削除方式であると判定されると、不足するデータサイズ分のフォーム情報を削除し（ステップＳ１０４）、また、削除方法が削除方式であると判定されると、不足するデータサイズの例えば２倍分のフォーム情報を削除する（ステップＳ１０５、１０６）。
【００２９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３０】
この場合、記憶媒体から読み出されたプログラムコード自体が前述した実施形態の機能を実現することになり、プログラムコード自体及びそのプログラムコードを記憶した記憶媒体は本発明を構成することになる。
【００３１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【００３２】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【００３３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００３４】
本発明の実施態様の例を以下に列挙する。
（実施態様１）情報を出力可能な出力装置におけるフォーム情報の格納状況情報を取得する取得手段と、
前記取得手段により取得された前記格納状況情報に基づいて、現時点において新たなフォーム情報の前記出力装置への登録が可能であるか否かを判断する判断手段と、
現時点において前記新たなフォーム情報の前記出力装置への登録が不可であると前記判断手段により判断された場合、前記出力装置に登録されているフォーム情報が削除された後、前記新たなフォーム情報を前記出力装置に対して登録させる登録手段とを有することを特徴とする情報処理装置。
【００３５】
（実施態様２）前記判断手段は、前記出力装置が登録可能なフォーム情報のデータサイズを示す登録限界値情報及び前記格納状況情報に基づいて、前記新たなフォーム情報を前記出力装置に対して登録させることが可能であるか否かを判断することを特徴とする実施態様１に記載の情報処理装置。
【００３６】
（実施態様３）前記判断手段は、前記出力装置が登録可能なフォーム情報の個数を示す登録限界値情報及び前記格納状況情報に基づいて、前記新たなフォーム情報を前記出力装置に対して登録させることが可能であるか否かを判断することを特徴とする実施態様１に記載の情報処理装置。
【００３７】
（実施態様４）前記判断手段は、前記出力装置が登録可能なフォーム情報の属性を示す属性情報及び前記格納状況情報に基づいて、前記新たなフォーム情報を前記出力装置に対して登録させることが可能であるか否かを判断することを特徴とする実施態様１に記載の情報処理装置。
【００３８】
（実施態様５）前記出力装置内において既に登録されるフォーム情報から削除対象のフォーム情報を選択し、前記選択したフォーム情報のリストを作成するリスト作成手段と、
前記登録手段により前記新たなフォーム情報が前記出力装置に登録される際に実際に前記出力装置にて削除されるフォーム情報を前記出力装置が前記リストに基づいて選択可能とするために、前記リストを前記出力装置に送信するリスト送信手段とを更に有することを特徴とする実施態様１に記載の情報処理装置。
【００３９】
（実施態様６）前記リスト作成手段は、前記出力装置内において既に登録される各フォーム情報の利用履歴に基づいて前記リストを作成することを特徴とする実施態様５に記載の情報処理装置。
【００４０】
（実施態様７）前記リスト作成手段は、前記出力装置内において既に登録される各フォーム情報の登録履歴に基づいて前記リストを作成することを特徴とする実施態様５に記載の情報処理装置。
【００４１】
（実施態様８）前記リスト作成手段は、前記出力装置内において既に登録される各フォームのデータサイズに基づいて前記リストを作成することを特徴とする実施態様５に記載の情報処理装置。
【００４２】
（実施態様９）前記出力装置におけるフォーム情報の削除方法を前記出力装置に対して設定する設定手段を更に有することを特徴とする実施態様５に記載の情報処理装置。
【００４３】
（実施態様１０）前記設定手段は、前記出力装置におけるフォーム情報の削除方法として、前記新たなフォーム情報の上書きによって削除対象となるフォーム情報を削除することを前記出力装置に対して設定することを特徴とする実施態様９に記載の情報処理装置。
【００４４】
（実施態様１１）前記設定手段は、前記出力装置におけるフォーム情報の削除方法として、前記新たなフォーム情報が前記出力装置に登録されるにあたって前記出力装置内の情報記録手段にて不足するデータサイズ分、削除対象となるフォーム情報を削除することを前記出力装置に対して設定することを特徴とする実施態様９に記載の情報処理装置。
【００４５】
（実施態様１２）前記設定手段は、前記出力装置におけるフォーム情報の削除方法として、前記新たなフォーム情報が前記出力装置に登録されるにあたって前記出力装置内の情報記録手段にて不足するデータサイズの所定倍分、削除対象となるフォーム情報を削除することを前記出力装置に対して設定することを特徴とする実施態様９に記載の情報処理装置。
【００４６】
（実施態様１３）複数の装置が互いに通信可能に接続されて成る情報処理システムであって、
前記複数の装置のうち少なくとも１つの装置が、実施態様１〜１２の何れか１項に記載の情報処理装置の機能を有することを特徴とする情報処理システム。
【００４７】
（実施態様１４）情報を出力可能な出力装置におけるフォーム情報の格納状況情報を取得手段にて取得するステップと、
前記取得手段により取得された前記格納状況情報に基づいて、現時点において新たなフォーム情報の前記出力装置への登録が可能であるか否かを判断手段にて判断するステップと、
現時点において前記新たなフォーム情報の前記出力装置への登録が不可であると前記判断手段により判断された場合、前記出力装置に登録されているフォーム情報が削除された後、登録手段が前記新たなフォーム情報を前記出力装置に対して登録させるステップとを含むことを特徴とする情報処理方法。
【００４８】
（実施態様１５）実施態様１４に記載の情報処理方法をコンピュータに実行させるためのプログラム。
【００４９】
（実施態様１６）実施態様１５に記載のプログラムを記録したコンピュータ読み取り可能な記録媒体。
【００５０】
【発明の効果】
本発明によれば、新たなフォーム情報を出力装置に登録する時点にそのフォーム情報を出力装置に登録することが可能であるか否かを判断し、新たなフォーム情報を出力装置に登録することができないと判断される場合は、出力装置において既に登録されているフォーム情報が削除された後に、新たなフォーム情報の登録を行うように構成したので、例え、出力装置が新しいフォーム情報を登録することができない状況にあっても当該フォーム情報の登録を拒絶することなく、当該フォーム情報の追加登録が可能となる。
【図面の簡単な説明】
【図１】本発明の一実施形態に係るサーバのハードウェア構成を主に示したブロック図である。
【図２】本発明の一実施形態に係る情報処理システムの概略構成を示した図である。
【図３】制御プログラム及び関連データがＦＤ中に記録されている状態を模式的に示した図である。
【図４】制御プログラムがＲＡＭにロードされて実行可能となった状態のメモリマップを模式的に示した図である。
【図５】本発明の第１の実施形態に係るフォーム情報登録処理の動作の流れを示した図である。
【図６】本発明の第１及び第２の実施形態に使用されるフォーム登録限界値の設定方法について示した図である。
【図７】本発明の第３の実施形態に係るフォーム設定情報の登録処理について示した図である。
【図８】本発明の第４の実施形態に係る出力装置に対する情報設定処理について示した図である。
【図９】図５のステップＳ０５に適用可能な本実施形態に係る出力装置内の削除候補の検索処理について示した図である。
【図１０】図９のステップＳ９６で作成された削除リストを用いて出力装置にて実行されるフォーム情報の削除処理を示した図である。
【符号の説明】
１０　中央演算処理装置ＣＰＵ
１１　読取専用主記憶装置ＲＯＭ
１２　読み書き可能主記憶装置ＲＡＭ
１３　外部記憶装置ＦＤドライブ
１４　外部記憶媒体ＦＤ
１５　外部記憶装置ＨＤドライブ
１６　入力装置キーボード
１７　表示装置ディスプレイ
１８　入力装置マウス
１９、２１　出力装置
２０　システムバス
２２　サーバ
２３　記憶装置
２４　フォーム記録領域
２５　登録状況記録領域
２６　設定情報記録領域
【図１】
2004139462.tif 000003
【図２】
2004139462.tif 000004
【図３】
2004139462.tif 000005
【図４】
2004139462.tif 000006
【図５】
2004139462.tif 000007
【図６】
2004139462.tif 000008
【図７】
2004139462.tif 000009
【図８】
2004139462.tif 000010
【図９】
2004139462.tif 000011
【図１０】
2004139462.tif 000012